(57)【要約】【課題】  従来、帽子に折り返しの機構を設けることにより、色彩及びデザインの変更が可能となる帽子の提供がなされていなかった。【解決手段】  帽子本体の中心外半面に折り返しを設けることにより、色彩とデザインの変更が可能となる帽子を提供する。【選択図】      図２
2005264415.tif 000002
【特許請求の範囲】
【請求項１】
球状の頭部を有する帽子本体と、頭部の中心線上で縫合された折り返し部を折り返すことで頭部反対部を覆いそれぞれの状態で帽子を形成するとともに異なる色彩や模様を構成する反転カバーとよりなる可変帽子。
【請求項２】
反転カバーの各利用時において反転カバーと、帽子の接面部が同じ生地より構成されたことを特徴とする請求項１記載の可変帽子。
【請求項３】
反転カバーで覆われる一方の頭部メッシュあるいは穴を有する高通気性素材をもちいたことを特徴とする請求項１又は請求項２記載の可変帽子。
【請求項４】
帽子全体が反転利用可能となっていることを特徴とする請求項１、２又は請求項３記載の可変帽子。
【請求項５】
頭部裏面に反転カバーを設けたことを特徴とする請求項４記載の可変帽子。
【発明の詳細な説明】
【技術の分野】
【０００１】本発明は、帽子に関するものである。
【背景技術】
【０００２】従来、帽子に折り返しの機構を設けることにより、色彩及びデザインの変更が可能となる帽子の提供がなされていなかった。
また、従来変形の可能な帽子として、ぬいぐるみの内部に帽子を設けリバーシブルな人形／帽子が既存した。
【特許文献１】出願番号特願平１０−５３９７０２
【発明の開示】
【発明が解決しようとする課題】
【０００３】  これには次のような欠点があった。
（イ）従来の帽子は、特定な色彩とデザインの提供で、色彩及びデザインの変更が可能な帽子が提供されていなかった。
（ロ）従来の帽子は、特定な色彩とデザインの提供で、色彩及びデザインの応用に効果が発揮されていなかったことで、服装に応用される帽子の提供がなされていなかった。
（ハ）従来の帽子、特にメッシュ部を設けた帽子に、帽子に折り返しの機構を設けることにより、メッシュ部を覆う作用を設けた帽子キャップは既存しなかった。
本発明は、これらの問題点を解決するためになされたものである。
【課題を解決するための手段】
【０００４】図１に示す球状の頭部を有する帽子本体（１０）と、図２に示された頭部の中心線上の中心折り返し部（１０２）で縫合された折り返し部となる反転カバー（２０）の反転カバー（２０ａ）表面、反転カバー（２０ｂ）裏面を折り返すことで頭部（３０）の頭部（３０ａ）及び頭部（３０ｂ）の反対部を覆いそれぞれ状態で帽子を形成するとともに異なる色彩や模様を構成する反転カバーとよりなる可変帽子。
また、本発明の可変帽子は図４、５に示すよう、帽子全体が反転利用可能となっていることを特徴とし、図８に示すよう応用により頭部裏面に反転カバーを設け、さらなる応用として図９に示すよう、反転カバー（２０）の各利用時において反転カバー（２０）と、帽子本体（１０）の接面部が同じ生地より構成され、反転カバー（２０）で覆われる一方の頭部メッシュ部（５０）を有する高通気性素材をもちいた可変帽子を提供する。
【発明の効果】
【０００５】  従来の帽子は、特定な色彩とデザインの提供で、色彩及びデザインの変更が可能な帽子が提供されていなかったが、本発明の帽子本体の中心外半面に折り返しを設けることにより、色彩とデザインの変更が可能となる帽子の提供がなされる。
本発明の帽子の中心外半面に折り返し反転カバー（２０）を設けることにより、色彩とデザインの変更が可能となる帽子の提供により、服装に応用される帽子の提供効果がなされる。
これは、従来の服装業者、アパレル、ファッション業界において色彩及びデザインの変更が可能な帽子と被服の組み合わせにより、新たな販売提案が可能になるものである。
また、応用の効果として、図８に示す応用の断面図のように、帽子の中心外半面に折り返し反転カバー（２０）を設け、さらに反面帽子内部に応用反転カバー（４０）を設け、下方向（リバーシブル）に帽子を折り返すことで、帽子本体からの色彩とデザインの変更、下方向（リバーシブル）に帽子を折り返しての色彩とデザインの変更が可能となることで、デザイン性及び色彩性の効果が発揮される。
また、他の応用として図９に示すキャップ帽子、特にメッシュ部（５０）を設けた帽子に、に反転カバー（２０）の機構を設けることにより、メッシュ部（５０）を露出及び覆う必要に応じての作用効果が発揮される。
すなわち、本発明の効果により、色彩性及びデザイン性の利用活用が広まり帽子販売店、服装業者、アパレル、ファッション業界等において本発明の提案が可能とされるものである。
【発明を実施するための最良の形態】
【０００６】  以下、本発明の実施の形態について図１から図９をもちいて説明する。
図１に記載されているのは、本発明の形態の図で、帽子本体（１０）、つば部（１０１）からなり、帽子本体（１０）外面中心部、上方、中心折り返し部（１０２）から反転カバー（２０）が縫製されている状態が示されている。
図２は図１の構成の形態から、実施にいたる経過を示した図で帽子本体（１０）に縫製された反転カバー（２０）を折り返し方向に折り返すことで反転カバー（２０ａ）表面から反転カバー（２０ｂ）裏面を折り返すことで頭部（３０ｂ）が露出され、反転カバー（２０）が頭部（３０ａ）方向に反転される状態を示した図である。
図３は図２から反転カバー（２０）が反転され頭部（３０）における頭部（３０ｂ）が露出された状態を示した図である。
図４は、帽子本体（１０）外面中心部、上方中心折り返し部（１０２）から、反転カバー（２０ａ）表面と反転カバー（２０ｂ）裏面を有する反転カバー（２０）が帽子本体（１０）に単独に縫製され、反転カバー（２０）が反転される経過の断面を示した図である。
図５は図４における、帽子本体（１０）に反転カバー（２０）を単独に設け反転カバー（２０）が折り返し反転される経過の断面を示した図である。
図６は帽子本体（１０）外面中心部、上方中心折り返し部（１０２）から、直接帽子本体（１０）に反転カバー（２０ａ）表面と反転カバー（２０ｂ）裏面を有する反転カバー（２０）が縫製され、反転カバー（２０）の稼動経過を透視図にての示した断面図である。
図７は、反転カバー（２０）により色彩の可変が実施された状態の図を示したものである。
図８は本発明における応用の実施例１の図で、帽子本体（１０）の内部にさらに、応用反転カバー（４０）を設け、帽子本体（１０）を下方反転（リバーシブル）にすることで、前記図２から図３の同様なる作用が可能になるもので、すなわち帽子の中心外半面に反転カバー（２０）、さらに反面内部に帽子の中心内半面に応用反転カバー（４０）を設け、下方向（リバーシブル）に帽子を折り返すことで、帽子本体からの色彩とデザインの変更、下方向（リバーシブル）に帽子を折り返しての色彩とデザインの変更が可能となる。
図９は帽子本体（１０）のメッシュ部（５０）を設けたキャップ帽子に、反転カバー（２０）を設け、折り返し方向に反転させることでメッシュ部（５０）を露出及び覆う作用を設けた本発明の応用実施例２の構成の図である。
以上が本発明の構成及び実施であり、下記にその実施を記す。
本発明の実施
従来の帽子は、特定な色彩とデザインの提供で、色彩及びデザインの変更が可能な帽子が提供されていなかったが、本発明の帽子の中心外半面に反転カバー（２０）を設け、折り返しの反転作業により、色彩とデザインの変更が可能となる。
またさらに、図８に示す本発明の応用の実施例１の図で、帽子本体（１０）の内部にさらに、応用反転カバー（４０）を設け、帽子本体（１０）を下方反転（リバーシブル）にすることで、前記図２から図３の同様なる作用が可能になるもので、すなわち帽子の中心外半面に反転カバー（２０）を設け、さらに反面内部に帽子の中心内半面に応用反転カバー（４０）設け、下方向（リバーシブル）に帽子を折り返すことで、帽子本体からの色彩とデザインの変更、下方向（リバーシブル）に帽子を折り返しての色彩とデザインの変更が可能となる。
以上の本発明の実施構成により色彩とデザインの変更が可能となる帽子は、服装に応じた帽子と被服の提供がなされ、また従来の服装業者、アパレル、ファッション業界において色彩及びデザインの変更が可能な帽子と被服の組み合わせにより、新たな販売提案が可能になる。
応用実施例２として図９に示すキャップ帽子、メッシュ部（５０）を設けた帽子に、反転カバー（２０）の機構を設けることにより、必要に応じてメッシュ部を露出及び覆う作用が設けられることで利用者の活用性が生まれる。
すなわち、本発明の帽子本体（１０）外面中心部、上方、中心折り返し部（１０２）から反転カバー（２０）が縫製されている帽子は、反転カバー（２０）の反転作業をおこなうことで、利用効果や異なった色彩性及び異なった絵柄、文字、数字、記号等のデザイン性の利用活用が広まるものでる。
以上、本発明は実施される。
【産業上の利用可能性】
【０００７】本発明の帽子本体（１０）外面中心部、上方、中心折り返し部（１０２）から反転カバー（２０）が縫製されている帽子は、反転カバー（２０）の反転作業をおこなうことで、異なった色彩性及び異なった絵柄、文字、数字、記号等のデザイン性の利用活を高めた帽子が提供される。
本発明は、以上の構成より産業上利用されるものである。
【図面の簡単な説明】
【０００８】
【図１】本発明の図である。
【図２】本発明の実施における構成図である。
【図３】本発明の実施における図である。
【図４】本発明の実施における構成の断面図である。
【図５】本発明の実施における構成の断面図である。
【図６】本発明の実施における構成の断面図である。
【図７】本発明の実施における図である。
【図８】本発明の応用実施例１の構成断面図である。
【図９】本発明の応用実施例２の構成斜視図である。
【符号の説明】
【０００９】１０．帽子本体
１０１．つば部
１０２．中心折り返し部
２０．反転カバー
２０ａ．反転カバー
２０ｂ．反転カバー
３０．頭部
３０ａ．頭部
３０ｂ．頭部
４０．応用反転カバー
５０．メッシュ部
【図１】
2005264415.tif 000003
【図２】
2005264415.tif 000004
【図３】
2005264415.tif 000005
【図４】
2005264415.tif 000006
【図５】
2005264415.tif 000007
【図６】
2005264415.tif 000008
【図７】
2005264415.tif 000009
【図８】
2005264415.tif 000010
【図９】
2005264415.tif 000011